(57)【要約】      （修正有）【課題】過去の底灌水の文献において水を吸い上げる構造の底潅水装置は多々見受けられるが、給水紐などの毛細管吸い上げ機能が水をどれくらい吸い上げるかを明示したものがない。【解決手段】本発明では課題を解決するために毛細管吸い上げ能力を実験によって調べるが、植物底潅水用具において給水体は、モップ状の綿、または微細繊維であるマイクロクロスを束ねて柔軟な直径１ｃｍ−３ｃｍのロ−プ状に形成した芯部を吸い上げ水分の蒸発を防ぐための芯部カバ−で覆った吸い上げ下部と、芯部の上部端を５０％程度の液相を示す綿で直径３ｃｍ−５cm、高さ２ｃｍ−３ｃｍの円柱形に結束する結束部上部で構成されたもので、下部タンクから毛細管現象で底灌水を行い長さ、１３ｃｍ−１６ｃｍが安定吸い上げ高さであることが判明した。これによって、植木鉢、置台、受け皿部分を形成し、水受け皿は水盤として水草も同時に栽培することを特徴とする植物底潅水用具。【選択図】図１
2006180867.tif 000002
【特許請求の範囲】
【請求項１】
植物底潅水用具において給水体は、モップ状の綿、または微細繊維であるマイクロクロスを束ねて柔軟な直径１ｃｍ−３ｃｍのロ−プ状に形成した芯部を吸い上げ水分の蒸発を防ぐための芯部カバ−で覆った吸い上げ下部と、芯部の上部端を５０％程度の液相を示す綿で直径３ｃｍ−５cm、高さ２ｃｍ−３ｃｍの円柱形に結束する結束部上部で構成され、結束部の底から、吸い上げ下部先端までの長さを１３ｃｍ−１６ｃｍと規定とすることを特徴とする植物底潅水用具。
【請求項２】
植物底灌水用具において植木鉢は、５号植木鉢までの底中央に、直径１ｃｍとする給水体装着孔を１個有し、６−８号鉢までは、中央に３ｃｍの装着孔を１個。９−１２号鉢は２個。１３−１５号では３個の装着孔を有し、その孔に給水体を挿入して、底灌水栽培を行うことを特徴とする植物底潅水用具。
【請求項３】
植物底灌水用具において置台は、形状は一定ではなく、水受け皿の上部縁から０ｃｍ−１４ｃｍと高さに規定を設け、置台上部には、植木鉢が安定して置ける水平な置き部が有り、これに給水体を挿入する直径１ｃｍ−３ｃｍ以上の空間を有し、足底部分は水が容易に浸入するよう、複数の水進入孔を有することを特徴とする植物底潅水用具。
【請求項４】
植物底灌水用具において受け皿部分は、給水体の吸い上げ能力限界深さ１２ｃｍ−１５ｃｍを標準の水盤とするが、１２−１５ｃｍを超えて形成する場合、土壌の乾燥対策として植木鉢底から、下方１２−１５ｃｍの位置、受け皿内部に水平な給水線を引いて設け、縁上部から１ｃｍの内部下方位置にも水平にオ−バ−フロ−防止線を設け、深水盤として水草も同時に栽培することを特徴とする植物底潅水用具。
【発明の詳細な説明】
【技術分野】
【０００１】
本発明は水耕栽培底潅水に使用する用具に関する。
【背景技術】
【０００２】
特許文献として文献１は草花を植えたプランントボックス内に栽培用の土を充填し、底に砂利を充填し、さらにその下に保水性を有する繊維状の充填材を収め、これに連続して、充填剤と同質の給水紐が下方に延長され、下部に樋に流れる雨水を吸い上げ草花用水とする底潅水水耕栽培である。文献２は上部鉢内に栽培部、中間部に空気層、下部鉢内に貯水タンク部を持ち、貯水タンク部から栽培部へ毛細管現象により給水する給水部材を持ち、下部鉢上部に注水穴兼用ドレンを持ち、上部鉢と下部鉢の間に接合部材を持ち嵌合部１の接合部材上部嵌合外径寸法及び接合部材上部嵌合内径寸法と嵌合部２の下部鉢嵌合外径寸法および下部鉢嵌合内径寸法を同一とし、上部鉢嵌合寸法、接合部材上部嵌合外径寸法、接合部材下部嵌合寸法を各々一定にし、接合部材の数を変更でき、上部鉢と下部鉢を交換出来ることを特徴とする園芸鉢。文献３は貯水槽の上面開口部に配置される底板部と、前記底板部の周囲に立設された周壁部と、前記底板部に穿孔され植木鉢の植物に前記貯水槽の水を表面張力で給水する導水性繊維等で形成された給水具を挿通する１乃至複数の孔部と、前記底板部の下方側に前記孔部の一部もしくは全部に上端部が固定された筒状部と、を備えていることを特徴とする植木鉢給水皿であり、水量メモリ部と前記水量メモリ部の下方に配設された浮体を有した棒状浮子と、前記棒状浮子が遊挿された支持部と、前記支持部の下方に配設された浮子止め部と、を有した水量検知具が、前記筒状部に脱着自在に固定されることを特徴とする請求項１に記載の植木鉢給水皿。
【０００３】
【特許文献１】実用新案  ２５５２０５１
【特許文献２】特開  ２００５−０２７５４２
【特許文献３】特開  平１０−３２７６９０
【発明の開示】
【発明が解決しようとする課題】
【０００４】
過去の底灌水の文献においては給水紐、給水具を使用して毛細管で水を吸い上げる構造の底潅水装置は多々見受けられるが、給水紐の吸水具の毛細管吸い上げ能力が規定されておらず、水の吸い上げ量を明示したものがない。この提示がないと給水体の長さが決められず、植木鉢、置き台、水タンクの大きさ、深さが決定できない。
【課題を解決するための手段】
【０００５】
本発明では課題を解決するために毛細管吸い上げ能力を実験によって調べるが、植物底潅水用具において給水体は、モップ状の綿、または微細繊維であるマイクロクロスを束ねて柔軟な直径１ｃｍ−３ｃｍのロ−プ状に形成した芯部を吸い上げ水分の蒸発を防ぐための芯部カバ−で覆った吸い上げ下部と、芯部の上部端を５０％程度の液相を示す綿で直径３ｃｍ−５cm、高さ２ｃｍ−３ｃｍの円柱形に結束する結束部上部で構成されたもので、下部タンクから毛細管現象で底灌水を行った結果、結束部の底から、吸い上げ下部先端までの長さを１３ｃｍ−１６ｃｍが安定吸い上げ高さであることが判明したので、給水体の大きさ、長さを以上に規定し、植木鉢は、５号植木鉢までの底中央に、直径１ｃｍとする給水体装着孔を１個有し、６−８号鉢までは、中央に３ｃｍの装着孔を１個。９−１２号鉢は２個。１３−１５号では３個の装着孔を有し、その孔に給水体を挿入して、底灌水栽培を行い、置台は、形状は一定ではなく、水受け皿の上部縁から０ｃｍ−１４ｃｍと高さに規定を設け、置台上部には、植木鉢が安定して置ける水平な置き部が有り、これに給水体を挿入する直径１ｃｍ−３ｃｍ以上の空間を有し、足底部分は水が容易に浸入するよう、複数の水進入孔を有し、受け皿部分は、給水体の吸い上げ能力限界深さ１２ｃｍ−１５ｃｍを標準の水盤とするが、１２−１５ｃｍを超えて形成する場合、土壌の乾燥対策として植木鉢底から、下方１２−１５ｃｍの位置、受け皿内部に水平な給水線を引いて設け、縁上部から１ｃｍの内部下方位置にも水平にオ−バ−フロ−防止線を設け、深水盤として水草も同時に栽培することを特徴とする。
【発明の効果】
【０００６】
本発明は実験によって毛細管の吸い上げ能力を調べ、安定吸い上げ高さが判明したので、給水体の長さが決定され、水タンク、置き台の深さ、高さも決定された。これによって水タンクの保水量も設定できる。鉢の底に置く水受け皿は大型、容量も深いものとなり、多量の水を確保でき、外部から目視で水分量もわかり、水の補給も簡単である。いろいろな形状の鉢に装着でき、鉢台、水受け皿との組み合わせも可能であり、多様な底灌水栽培の可能性を広げ、多量の水を確保できるので、水草の同時栽培もできる。
【発明を実施するための最良の形態】
【０００７】
本発明の実施の形態を実施の一例にもとづき、以下図面を参照し詳細に説明する。
図１は植物底灌水用具の組み合わせ1例である。給水体Aを装置した植木鉢Bと置台C、水受け皿Dの組み合わせである。水受け皿Dに保水した水Fを給水体Aで植木鉢Bの土壌Eに毛細管と植物、土壌E表面の蒸散力で吸い上げる。
【０００８】
給水体Aの能力を調べるために、植物底潅水用具において給水体Aは、モップ状の綿、または微細繊維であるマイクロクロスを束ねて柔軟なロ−プ状に形成した芯部１を吸い上げ水分の蒸発を防ぐための芯部カバ−２で覆った吸い上げ下部Hと、芯部の上部端を５０％程度の液相を示す綿で直径５cm、高さ３ｃｍの円柱形に結束する保水上部Gで構成され、結束部３の底から、吸い上げ下部H先端までの長さが２０ｃｍの給水体Aを植木鉢B底に固定し、給水体Aの吸い上げ下部Hの直径を１ｃｍ、２ｃｍ、３ｃｍ、４ｃｍ、５ｃｍと変化させて固定し、その上に吸水性の強い乾燥した小粒鹿沼土を置き、鹿沼土の吸水力と給水体A の毛管現象で下の水受け皿Dから水Fを吸い上げ、乾燥した鹿沼土の重さが水Fを吸ってどのように変化するかを重量計で量る。鹿沼土、３０００ｃｃ、温度１８度。湿度３０％、半日陰、無風状態、吸い上げ距離２ｃｍで測定した。この結果、吸い上げ下部Hの直径の違いによる吸い上げ量の差が発生した。２４時間換算の吸い上げ量は１ｃｍ、７５０ｃｃ。２ｃｍ、１１７０ｃｃ。３ｃｍ、１４７０ｃｃ。４ｃｍ、１５００ｃｃ。５ｃｍ、１５２０ｃｃであったので、効率的太さ１ｃｍ−３ｃｍを有効太さとする。
【０００９】
結束した保水上部Gの大きさがどのように吸い上げ量に影響するかを結束部３の大きさを変えて同一条件で吸い上げテストを行ったが、大きさによる吸い上げ水量の違いは発生しない。結束部３に５０％の綿を使用することにより、通常の綿の液相、８０−９０％の高い液相で形成した結束部３での過湿障害が少なくなり、根の絡みによる、吸い上げ能力の低下も少なくなる。
【００１０】
吸い上げる高さを変えて距離の違いによる水Fの吸い上げ量を測定する。直径３ｃｍの吸い上げ下部Hで吸い上げ距離を変化させた。何回か実験を行い、平均の数値を得た。２４時間換算で高さ、距離２ｃｍ、１４７０ｃｃ、これを１００％とすると５ｃｍ。１４７０ｃｃ。１００％。１０ｃｍ、１４１０ｃｃ。９６％。１５ｃｍ。１０５０ｃｃ。７１％。２０ｃｍ、６００ｃｃ。４１％になった。これによって、直径３ｃｍでは安定吸い上げ規定高さを１５ｃｍとする。次に直径１ｃｍの吸い上げ部下部Hで吸い上げ距離を変化させた。24時間換算で距離、２ｃｍ、７５０ｃｃ、１００。５ｃｍ、７５０ｃｃ。１００％。１０ｃｍ、７２０ｃｃ。９６％。１２ｃｍ。５３０ｃｃ。７１％。１５ｃｍ、２５０ｃｃ。３３％となる。１ｃｍのときの安定吸い上げ高さ規定は１２ｃｍである。
【００１１】
吸い上げる水分量は季節、温度、湿度、風、植える植物、その大きさによって異なるが、冬場の吸い上げ量は少なく、１０号鉢に直径３ｃｍを使用しパンジ−を植えた状態の２４時間で１００ｃｃ−２００ｃｃであり、同じ鉢にペチュニアの大株を植えた夏場は最大１５００ｃｃ以上も水Fが水受け皿Dから消費された。植物が生長する季節の葉の蒸散による吸い上げ水消費が大きな水消費割合を示す。乾燥時で植物を植えて栽培実験したところ、土壌Eの水分が表面からの蒸散に追いつかず土壌Eの表面が乾燥するケ−スが発生する。しかし内部は水Fの表面張力の影響で急激には乾燥しない。夏場の土表面の乾燥状態で植木鉢B内の土壌Ｅを調べると植物の根の部分は液相率２５％以上を保ち植物に水分不足の影響は少ない。根の力で下から水Ｆを吸い上げている。しかし、植木鉢Bの大きさによって、給水体Aの本数を増やす必要が発生する。また使用条件によって、あまりにも土壌Eが乾燥するときは半日陰に移動させるなどの処置によって土壌Eの乾燥を防止させることができる。また、上からの潅水を兼用して行うことによって土壌E内部の空気の入れ替えを計り、土壌E内の酸素補給、塩素除去、病気障害も防ぐこともできるので時々は上潅水も並行して行うことが望ましい。また、土壌Eの液相は２５％以上で栽培することが望ましい。液相が低すぎると、土壌E内部の毛細管現象、浸透作用が悪くなり乾燥しすぎる場合が発生する。
【００１２】
土壌Eの水分を含む％の割合は混合する土の種類によって変えることができる。飽和水分量の高いミズゴケ、飽和水分量の低いパ−ライトなどの混合によって土壌Eの液相は高くも低くもできる。底灌水であるので、土壌Eの水分量は一定しているので、過湿になることはなく、水受け皿Dへの保水で乾燥することもない。水受け皿Dの水確保で1週間以上は水Fを補水しなくても、水枯れも起こらないので長期の旅行も可能となる。
【００１３】
植木鉢Bは、５号植木鉢までの底中央に、直径１ｃｍとする給水体装着孔６を１個有し、６−８号鉢までは、中央に３ｃｍの給水体装着孔６を１個。９−１２号鉢は給水体装着孔６を２個。１３−１５号では３個の給水体装着孔６を有し、その給水体装着孔６に給水体Aを挿入して、底灌水栽培を行う。
【００１４】
置台Cは、形状は一定ではなく、水受け皿Dの上部縁から０ｃｍ−１４ｃｍと高さに規定を設け、置台上部には、植木鉢Bが安定して置ける水平な植木鉢置き部７が有り、これに給水体Aを挿入する直径１ｃｍ−３ｃｍ以上の空間を有し、足底部分は水が容易に浸入するよう、複数の水進入孔８を有する。
【００１５】
植物底灌水用具において水受け皿D部分は、給水体Aの吸い上げ能力限界深さ１２ｃｍ−１５ｃｍを基準の水盤とするが、１２−１５ｃｍを超えて形成する場合、土壌Eの乾燥対策として植木鉢B底から、下方１２−１５ｃｍの位置、水受け皿D内部に水平な給水線５を引いて設け、乾燥防止対策を設ける。縁上部から１ｃｍの内部下方位置にも水平にオ−バ−フロ−警告線４を設け、室内などで使用する場合の対策とし、水得受け皿Dは深水盤として水草も同時に栽培する。
【００１６】
この底灌水方法で、挿し木、種まきを行えば、上からの灌水が必要なく、土壌Eが水やりで動くこともない。挿し木、種まきの発芽確立が高いものとなる。
【００１７】
特に水遣りの難しい植木、盆栽栽培でも、土壌Eの調整さえ、うまく行えば容易なものとなる。
【産業上の利用可能性】
【００１８】
本発明の植物底灌水用具は、省力化、衛生的、土壌の液相が一定化になり、土壌の混合割合の調整で植物環境に合わせた土壌状態が確保できるので水やりが簡単になり、老人、子供でも植物栽培を楽しめ、水受け皿での水確保で長期の旅行も可能となる。また、水耕栽培の新しい活用として、水上花壇として、水盤との併用で、新規な栽培形態が望める。
【図面の簡単な説明】
【００１９】
【図１】植物底灌水用具を組み合わせた断面図
【図２】給水体の断面図
【図３】植木鉢の斜視断面図
【図４】置台の斜視断面図
【図５】水受け皿の斜視断面図
【符号の説明】
【００２０】
A  給水体
B  植木鉢
C  置台
D  水受け皿
E  土壌
F  水
G  保水上部
H  吸い上げ下部
１  芯部
２  芯部カバ−部
３  結束部
４  オ−バ−フロ−警告線
５  給水線
６  給水体装着孔
７  植木鉢置き部
８  水進入孔
【図２】
2006180867.tif 000003
【図３】
2006180867.tif 000004
【図４】
2006180867.tif 000005
【図５】
2006180867.tif 000006
【図１】
2006180867.tif 000007